(57)【要約】  重なり合うサイディングを固定する下見板システムであって、固定ブロック（５）を挿入するスロット（４）を有する第１の下見板（７）を備え、固定ブロック（５）は、重なり部で最も内側の下見板を通る釘（４５）を受容し、固定ブロックは、重なり部で、最も外側の下見板の溝（１２）の中に入る。【選択図】図２
2008522063.tif 000002
【特許請求の範囲】
【請求項１】
複数の水平に延びる下見板を、下見板で覆われる構造物に対して部分的に重ね合わせて固定する、下見板システムであって、前記下見板システムが、
使用時に、下見板で覆われる前記構造物に面する、長手方向に延びる第１の面と、
使用時に、下見板で覆われる前記構造物から離れる、長手方向に延びる第２の面と、
使用時に、下見板で覆われる前記構造物から突き出し、依然として下見板で覆われる前記構造物に面する、長手方向に延びる第３の面と、
を有する第１の下見板（以下で「より上側の下見板」という）と、
前記上側の下見板の前記第３の面の内部に設けられ、前記第３の面に沿って長手方向に延びるスロットと、
使用時に、下見板で覆われる前記構造物に面する、長手方向に延びる第１の面と、
使用時に、下見板で覆われる前記構造物から離れ、前記第１の下見板の前記第３の面と部分的に重なる、長手方向に延びる第２の面と、
使用時に、下見板で覆われる前記構造物から突き出し、依然として下見板で覆われる前記構造物に面する、長手方向に延びる第３の面と、
を有する第２の下見板（以下で「より下側の下見板」という）と、
を備え、
貫通ファスナーを受容するために取付けられる固定ブロックであって、前記固定ブロックが、前記より下側の下見板の前記第２の面の上側縁部に係合又は近接し、前記ファスナーによって、下見板で覆われる前記構造物に固定され、前記固定ブロックが、前記より上側の下見板を下見板で覆われる前記構造物に固定するために、前記スロットに挿入される、
下見板システム。
【請求項２】
前記ファスナーが、前記より下側の下見板を、下見板で覆われる前記構造物に固定するために、前記より下側の下見板を貫通することができる、請求項１に記載のシステム。
【請求項３】
表面の彫り込みが、前記下見板の第２の面に施され、前記下見板の第２の面に沿って長手方向に延び、前記固定ブロックが、前記表面の彫り込み部で、前記より下側の下見板に配置される、請求項１又は２に記載のシステム。
【請求項４】
複数の固定ブロックが、前記下見板の各々に沿って個別の位置に設けられる、請求項１から３のいずれか１項に記載の下見板システム。
【請求項５】
単一の固定ブロックが、前記スロットの略全長部分に延びる、請求項１又は４のいずれか１項に記載の下見板システム。
【請求項６】
前記固定ブロックが、前記ファスナーが延びることができる貫通穴を備える、請求項１から５のいずれか１項に記載の下見板システム。
【請求項７】
前記ファスナーが釘である、請求項１から６のいずれか１項に記載の下見板システム。
【請求項８】
前記釘が、使用時に、前記固定ブロックの表面と同一面に着座し、前記より下側の下見板を貫通する、請求項７に記載の下見板システム。
【請求項９】
前記より下側の下見板の前記第１の面が、下見板で覆われる前記構造物に対して同一面に着座する、請求項１から８のいずれか１項に記載の下見板システム。
【請求項１０】
前記より下側の下見板の前記第２の面が、前記より上側の下見板の前記第３の面に対して同一面に着座する、請求項１から９のいずれか１項に記載の下見板システム。
【請求項１１】
前記より下側の下見板の前記表面の彫り込みが、前記より下側の下見板の最上部の長手方向縁部に、又は前記長手方向縁部の近くに設けられた、請求項１から１０のいずれか１項に記載の下見板システム。
【請求項１２】
前記より上側の下見板の前記スロットが、前記より上側の下見板の最下部の長手方向に延びる縁部の近くに設けられた、請求項１から１１のいずれか１項に記載の下見板システム。
【請求項１３】
配置において、前記より上側の下見板及びより下側の下見板の重なり合う領域に、隙間が略存在しない、請求項１から１２のいずれか１項に記載の下見板システム。
【請求項１４】
前記固定ブロックが、プラスチック製の固定ブロックである、請求項１から１３のいずれか１項に記載の下見板システム。
【請求項１５】
前記固定ブロックが、木製の固定ブロックである、請求項１から１３のいずれか１項に記載の下見板システム。
【請求項１６】
前記固定ブロックが、前記固定ブロックの横断面と同一の連続した横断面の、細長い部材から分離した、請求項１から１５のいずれか１項に記載の下見板システム。
【請求項１７】
前記スロットが、切削された上側長手方向に延びるスロット壁を備え、前記固定ブロックが、前記長手方向に延びるスロット壁に接触して着座するための上側表面を備える、請求項１から１６のいずれか１項に記載の下見板システム。
【請求項１８】
前記長手方向に直角な垂直横断面における前記固定ブロックが、前記スロットが水平方向に動くのを妨げる態様で前記スロットに係合するための表面を備える、請求項１から１７のいずれか１項に記載の下見板システム。
【請求項１９】
前記表面が、前記固定ブロックの上向きに面し、構造物に面した表面である、請求項１８に記載の下見板システム。
【請求項２０】
請求項１から１９のいずれか１項に記載の下見板システムを外装として有する、建物。
【請求項２１】
請求項１から１９のいずれか１項に記載され、添付図面に示される、下見板システム。
【請求項２２】
請求項１から１６のいずれか１項に記載され、添付図面に示される下見板システムによって覆われた、建物。
【請求項２３】
前記下見板が所定の場所に据付けられる場合に、前記固定ブロックが、前記第２の下見板に係合する、請求項１から１９のいずれか１項に記載の下見板システム。
【請求項２４】
前記固定ブロックが、前記第１の下見板が一旦前記固定ブロックに係合した場合に、前記第１の下見板が前記構造物から外向きに動くことを妨げるように、前記第１の下見板のスロットに挿入される、請求項１から１９のいずれか１項に記載の下見板システム。
【請求項２５】
より上側の下見板をより下側の下見板に係合させることによって構造物を覆う方法であって、
前記より上側の下見板が、
使用時に、下見板で覆われる前記構造物に面する、長手方向に延びる第１の面と、
使用時に、下見板で覆われる前記構造物から離れる、長手方向に延びる第２の面と、
使用時に、下見板で覆われる前記構造物から突き出し、依然として下見板で覆われる前記構造物に面する、長手方向に延びる第３の面と、
前記上側の下見板の前記第３の面の内部に設けられ、前記第３の面に沿って長手方向に延びるスロットと、
を備え、
前記より下側の下見板が、
使用時に、下見板で覆われる前記構造物に面する、長手方向に延びる第１の面と、
使用時に、下見板で覆われる前記構造物から離れ、前記第１の下見板の前記第３の面と部分的に重なる、長手方向に延びる第２の面と、
使用時に、下見板で覆われる前記構造物から突き出し、依然として下見板で覆われる前記構造物に面する、長手方向に延びる第３の面と、
を備え、
前記より上側の下見板のスロットに固定ブロックを挿入することによって、
固定ブロックが、前記より下側の下見板を通る貫通ファスナーによって、前記より下側の下見板の前記第２の面の上側縁部に係合又は近接し、前記より下側の下見板を、前記固定された構造物に保持する、
方法。
【発明の詳細な説明】
【技術分野】
【０００１】
本発明は、下見板システム及び下見板組立体を提供する関連手段に関する。
【０００２】
特に、本発明は、限定するわけではないが、建築構造の外表面に使用する下見板システムに関し、本システムは、キット形式で据付けに供給することができる。
【背景技術】
【０００３】
下見板システムについては、様々な形態が当業内で知られている。普通、下見板は、自然の風雨に対する保護を与え、内部の居住者に保温の手段を与える目的で、家屋又は建物の外側を覆うために使用される。
【０００４】
ニュージーランドの典型的な下見板システムは、家屋又は建物の枠構造に固定され、個々のパネルは、パネルが外向き及び下向きに角度を有するように、水平に、相補的に、重ね合わせた構成で、枠柱に固定される。このような下見板の使用は、このシステムが低コストの構造を提供した結果、普及した。時が経ち、下見板システムの変化は、依然として低コストの建築方法の利益を有しつつ、美的で魅力的な家屋の外装を与えることができるようになった。
【０００５】
特許文献１及び特許文献２は、当業における典型的な下見板固定システムを示す。特許文献１は、建物等のサイディング又はパネルシステムを示す。これらに説明されたシステムは、パネル板を覆う薄い被膜又はフレキシブルなプラスチック材料を取り入れている。フレキシブルなパネルは、二重溝及び相補的な固定用細長片を使用して、露出しない縁部又は領域で互いに固定される。露出しない領域で各パネル板を固定することは、二重溝及び固定ブロック手段を利用することにより行われ、重なる縁部は、重ねられる縁部に対して配置される。壁柱への直接固定は、重ねられるパネルの頂縁部に釘を使用して行われる。
【０００６】
特許文献２は、同様の重ね合わせ構造を利用する下見板システムを更に示すが、パネルの最も内側の縁部は、伝統的に行われているように枠柱に釘で打ち付けられる。係合するパネルの表面は（パネル縁部の重ね合わせ領域で）、向き合った側部に溝を有し、組立てられた押え木を収容するために使用され、位置決めされ、配置され、パネルの両面は、相互に近接したパネルを配置する係合固定手段を形成する。パネルの上縁部は、このように重なり合う領域で隠されて、家屋構造物に釘付けされる。
【０００７】
上述の両方の例において、説明された下見板システムは、一般的なシステムの経済性及び組立の利便性から外れる、ある程度の複雑さを依然として招いている。例えば、特許文献１では、２つの独立した相補的な溝をパネル板に加工する必要がある。更に、各パネル板は、各パネル板を覆う薄い被膜及び／又はフレキシブルなプラスチック材料でその後覆われる。この構造は、顧客の要求により他の利点を提供することができるが、しかし、要素の組立と準備の両方に追加された複雑さは、顧客に対して総合コストを増加させる。
【０００８】
この構造は、特許文献２で説明される下見板システムに同様にあてはまる。この発明は、相補的な押え木システムを使用し、重ね合わせ及び相補的な下見板パネルは、ともに相補的で固定目的のため係合する、溝及び押え木を必要とする。この構成は、個々のパネルの更なる加工及び準備を伴い、エンドユーザに追加コストを発生する。
【０００９】
【特許文献１】米国特許３８６６３７８号
【特許文献２】米国特許２２７６１７０号
【発明の開示】
【発明が解決しようとする課題】
【００１０】
従って、本発明の目的は、現在の下見板システムの上述の不利益に取り組み、及び／又は公衆に有益な選択を少なくとも提供する、家屋、居住構造、建築構造の外側の据付けにコスト効果のある下見板組立体及び／又はシステムを提供することである。
【課題を解決するための手段】
【００１１】
第１の特徴において、本発明は、複数の水平に延びる下見板を、下見板で覆われる構造物に対して部分的に重ね合わせて固定する、下見板システムであって、この下見板システムが、
使用時に、下見板で覆われる前述の構造物に面する、長手方向に延びる第１の面と、
使用時に、下見板で覆われる前述の構造物から離れる、長手方向に延びる第２の面と、
使用時に、下見板で覆われる前述の構造物から突き出し、依然として下見板で覆われる前述の構造物に面する、長手方向に延びる第３の面と、
を有する第１の下見板（以下で「より上側の下見板」という）と、
前述の上側の下見板の第３の面の内部に設けられ、第３の面に沿って長手方向に延びるスロットと、
使用時に、下見板で覆われる前述の構造物に面する、長手方向に延びる第１の面と、
使用時に、下見板で覆われる前述の構造物から離れ、第１の下見板の第３の面と部分的に重なる、長手方向に延びる第２の面と、
使用時に、下見板で覆われる前述の構造物から突き出し、依然として下見板で覆われる前述の構造物に面する、長手方向に延びる第３の面と、
を有する第２の下見板（以下で「より下側の下見板」という）と、
を備え、
貫通ファスナーを受容するために取付けられる固定ブロックであって、この固定ブロックが、前述のより下側の下見板の第２の面の上側縁部に係合又は近接し、前述のファスナーによって、下見板で覆われる前述の構造物に固定され、前述の固定ブロックが、前述のより上側の下見板を下見板で覆われる前述の構造物に固定するために、前述のスロットに挿入される、
下見板システムである。
前述のファスナーは、前述のより下側の下見板を、下見板で覆われる前述の構造物に固定するために、前述のより下側の下見板を貫通することができることが好ましい。
表面の彫り込みが、前述の下見板の第２の面に施され、下見板の第２の面に沿って長手方向に延び、前述の固定ブロックが、前述の表面の彫り込み部で、前述のより下側の下見板に配置されることが好ましい。
複数の固定ブロックが、前述の下見板の各々に沿って個別の位置に設けられることが好ましい。
単一の固定ブロックが、前述のスロットの略全長部分に延びることが好ましい。
前述の固定ブロックは、前述のファスナーが延びることができる貫通穴を備えることが好ましい。
前述のファスナーは、釘であることが好ましい。
前述の釘は、使用時に、前述の固定ブロックの表面と同一面に着座し、前述のより下側の下見板を貫通することが好ましい。
前述のより下側の下見板の第１の面は、下見板で覆われる前述の構造物に対して同一面に着座することが好ましい。
前述のより下側の下見板の第２の面は、前述のより上側の下見板の第３の面に対して同一面に着座することが好ましい。
前述のより下側の下見板の前述の表面の彫り込みは、前述のより下側の下見板の最上部の長手方向縁部に、又は前述の長手方向縁部の近くに設けられることが好ましい。
前述のより上側の下見板の前述のスロットは、前述のより上側の下見板の最下部の長手方向に延びる縁部の近くに設けられることが好ましい。
配置において、前述のより上側の下見板及びより下側の下見板の重なり合う領域に、隙間が略存在しないことが好ましい。
前述の固定ブロックは、プラスチック製の固定ブロックであることが好ましい。
前述の固定ブロックは、木製の固定ブロックであることが好ましい。
前述の固定ブロックは、この固定ブロックの横断面と同一の連続した横断面の、細長い部材から分離していることが好ましい。
前述のスロットは、切削された上側長手方向に延びるスロット壁を備え、前述の固定ブロックが、前述の長手方向に延びるスロット壁に接触して着座するための上側表面を備えることが好ましい。
前述の長手方向に直角な垂直横断面における前述の固定ブロックは、前述のスロットが水平方向に動くのを妨げる態様でこのスロットに係合するための表面を備えることが好ましい。
前述の表面は、前述の固定ブロックの上向きに面し、構造物に面した表面であることが好ましい。
更なる特徴において、本発明は、上述の下見板システムを外装として有する、建物である。
更なる特徴において、本発明は、以上に記載され、添付図面に示される、下見板システムである。
更なる特徴において、本発明は、以上に記載され、添付図面に示される下見板システムによって覆われた、建物である。
前述の下見板が所定の場所に据付けられる場合に、前述の固定ブロックは、第２の下見板に係合することが好ましい。
前述の固定ブロックは、第１の下見板が一旦この固定ブロックに係合した場合に、第１の下見板が前述の構造物から外向きに動くことを妨げるように、第１の下見板のスロットに挿入されることが好ましい。
更なる特徴において、本発明は、
より上側の下見板をより下側の下見板に係合させることによって構造物を覆う方法であって、
前述のより上側の下見板が、
使用時に、下見板で覆われる前述の構造物に面する、長手方向に延びる第１の面と、
使用時に、下見板で覆われる前述の構造物から離れる、長手方向に延びる第２の面と、
使用時に、下見板で覆われる前述の構造物から突き出し、依然として下見板で覆われる前述の構造物に面する、長手方向に延びる第３の面と、
前述の上側の下見板の第３の面の内部に設けられ、第３の面に沿って長手方向に延びるスロットと、
を備え、
前述のより下側の下見板が、
使用時に、下見板で覆われる前述の構造物に面する、長手方向に延びる第１の面と、
使用時に、下見板で覆われる前述の構造物から離れ、第１の下見板の第３の面と部分的に重なる、長手方向に延びる第２の面と、
使用時に、下見板で覆われる前述の構造物から突き出し、依然として下見板で覆われる前述の構造物に面する、長手方向に延びる第３の面と、
を備え、
前述のより上側の下見板のスロットに固定ブロックを挿入することによって、
固定ブロックが、前述のより下側の下見板を通る貫通ファスナーによって、前述のより下側の下見板の第２の面の上側縁部に係合又は近接し、前述のより下側の下見板を、前述の固定された構造物に保持する、方法である。
【００１２】
本発明はまた、大雑把に言うと、本出願の明細書に、個別に又は全体的に参照され、示された、部品、要素、及び形状であり、これらの部品、要素又は形状のいずれか２つ以上の全ての組み合わせであり、本明細書で特定の整数が言及された場合には、その部分は、本発明に関連する技術の分野において同等であるとして知られており、これらの同等として知られたものは、それぞれ個別に説明されるのと同様に、本発明に含まれると考えられる。
【００１３】
本発明の好ましい実施例は、添付図を参照して以下に説明される。
【発明を実施するための最良の形態】
【００１４】
本発明の最も好ましい実施例は、図１から図３に示される。
【００１５】
図１（ａ）は、本発明による下見板又は下見板パネル７の一部の斜視図を示す。下見板７は、普通、その全長にわたって一定した断面を有する、成形した木製部材である。このような下見板７は、建物の外側に向けられた外面２７を有する。この外面は、下塗り及び塗装をされ、雨、風、冷気が建物の中に入ることをある程度防止する、露天表面を備える。下見板７は、相互に重なり合う態様で、建物の枠組み構造物９に係合する。外面２７は、略平面であるが、このようになっているので、垂直方向には向いていない。外面２７は、垂直方向とはわずかに角度を有し、下見板７は、特別な外形をしばしば備え、下見板７を建物の構造物９に強固に固定しつつ角度をつけることができる。下見板７は、外面２７に対して角度を有する傾斜面２８を備える。傾斜面２８は、建物の構造物９の一部に対して同一面で着座する。
【００１６】
例えば図３（ｂ）に示すように、下側の下見板６は、上側縁部３０及び下側縁部４０を有する。上側縁部３０は、上側下見板７の下側縁部４０の近くに置かれる。同様に、上側下見板７は、上側下見板８の下側縁部の近くに置かれる上側縁部３０を有する。下見板間の重なり合いは、重なり部分の部材が下見板の上側縁部３０の両側を構造物９に固定し、下見板の下側縁部４０をすぐ下の下見板の上側縁部に固定するように、設けられる。下見板の相互のこのような固定は、固定ブロック１の利用によって行われる。
【００１７】
下見板それぞれは、固定ブロック１を配置する目的で、上側縁部３０及び下側縁部４０の両方で、スロット又は溝を備えることによって修正される。下見板パネル７の上側縁部では、第１の溝表面１２が下見板の長さに沿って外表面に加工される。図１（ａ）及び図１（ｂ）は、この構造を切り欠き部として示すが、下見板の最上部の縁部に接近して埋め込まれた明確な溝とすることもできる。或は、溝は、建物構造物の壁柱に対応し、固定ブロック１のユニットを受け入れる、各パネル７の長さに沿って中心を繰り返し間隔で設けた有限長さの窪み又は切り欠き部とすることができる。
【００１８】
下見板７に対する更なる修正は、下側縁部で下見板７の内側の対面に、下見板７の全長に沿って延びて加工された第２の溝４である。同様に、窪みは、第１の溝のように、溝又は切り欠きとすることができる。溝はまた、第１の溝に使用されたような溝に相当する、各下見板７の長さに沿って繰り返しの間隔で中央に設けた有限長さの窪み又は切り欠き部とすることができる。
【００１９】
図１（ａ）はまた、下見板７の頂縁部を表面１２で建物の構造物９に固定するために使用される固定ブロック１を示す。固定ブロック１はまた、上側下見板パネル７又は８の内部下側縁部を配置し固定するために使用される基本要素である。図１（ａ）は，下見板７の内部下側縁部に関連する相補的な第２の溝４と係合するために必要な方向を示す。固定ブロック１の挿入は、図１（ｂ）に示され、下見板７は、固定ブロック１に配置され組立てられる。図１（ａ）及び図１（ｂ）の両方は、本発明の下見板の内面に向って見た斜視図を示す。この図は、固定ブロックが下見板７の下側の内部の縁部に与えられた第２の溝に係合する方向と手段を、よく見えるように示している。
【００２０】
本発明の最も好ましい実施例により、固定ブロック１は、有限の長手方向長さの（下見板の細長い方向と一直線にされた）ブロックで、全長が一定の断面のブロックである。このブロックは、第１の細長い表面１２Ａを備え、細長い表面１２Ａは、本発明の下見板システムを組立てる場合に、第１の溝１２の内部表面の近くに位置する。固定ブロック１は、下見板７の長さに等しくして、下見板の全長に延びることができることが理解されよう。この実施例では、固定手段４５（釘、ねじ等）を受容する穴５は、固定ブロック１の長さに沿って繰り返し長さ又は独立の長さとすることができる。更なる実施例では、水分が上側下見板の下側から外装システムに入ろうとするとき、侵入する水分に対する抵抗が増すように、更なる耐水性を与えるさらに確実なシールとして、更なる実用性を確立する。
【００２１】
固定ブロック１の断面は、組立時は、第１の細長い表面から、外側に突き出し、下見板７の下側の縁部の第２の溝４内に入るための表面１０を形成する。この突き出しは、第２の溝４内に固定するために、上向きと下向きであることが好ましい。固定ブロック１はまた、下見板７の上側外縁部の第１の溝１２内の内面に適切な接触を与える断面とし、断面の突き出しを第２の溝４によって適切に係合するようにさせることができる。固定ブロック１の突出し部の断面を、下見板７の下側縁部内の第２の溝４の断面に対して相補的にするのが好ましい。固定ブロック１の突出し部の相補的な形態と第２の溝４は、重なり合うパネルの適切な配置と固定が行われるようにする。
【００２２】
図２は、本発明により複数の下見板が好ましく固定された斜視図を示す。図示のように、下見板が固定された位置で、組立箇所を通る断面の切断を示している。図２に示すのは、下見板が枠柱に関して配置され固定される方法と手段である。この固定は、図１（ａ）に示すように、穴５を通る釘４５（図４参照）又は同様の固定具を使用して行われることが好ましい。図２から、固定ブロック１が、下側に重なりの縁部を有する下見板を、下側パネルの上側縁部に対してどのように固定するかが容易に理解され、一方、下見板の重なり合う縁部を固定し、底部から頂部への簡単な組立を行うことが容易に理解される。
【００２３】
図２に示される図を更に図３に示す。図３（ｂ）は、本発明により組立てられた２つの下見板６、７が、普通の家屋の枠構造の枠柱９に固定される図を示す。下見板７は、固定ブロック１が使用された位置で内部組立配置が更によく見えるように切断されている。最も下側の下見板６は、固定ブロック１を見えるようにしており、図３（ａ）に固定ブロック１を更に示している。本発明によるパネル板の組立順序はまた、図３（ｂ）に示され、図３（ｂ）では、最上部の下見板８が、矢印で示された方向に従って下側の下見板７と組立てられる前の状態で示されている。
【００２４】
図２及び３により、本発明による下見板の組立の容易さがわかる。組立は、基準を確立するために最も下側の下見板を家屋の枠構造の基部に据付けることから始まり、この基準から、重なり構造の組立及び形成を始める。一旦最下部の下見板が適切にレベル出しされた後は、固定ブロック１は、設けられた穴５を通る釘４５又は同様の手段を使用して各枠柱９に固定される（図４に示す）。各ケースにおいて、固定ブロック１は、表面１２に配置され、枠柱９に釘打ちされ、パネルの上側縁部の両側を枠柱９に固定される。一旦下見板が、その長さに渡って全枠柱９の配置部に取付けられると、後の重なり合うパネルは、内部表面２８が下側下見板の上に枠柱９に対して近接するように、挿入配置することができる。この表面の角度は、表面２が家屋の垂直側面となす外向きの突き出し（角度）に直接関係することがわかる。
【００２５】
固定ブロック１の最上部表面が下見板の内側の内溝４の最上面の下向き表面に対して安定して着座するように、パネルを垂直方向に下げるのに更なる操作が必要となる可能性がある。一旦配置したら、更なる固定ブロック１を、次の（上側の）下見板に係合するように適切な枠柱９の位置に固定する操作を、繰り返す。
【００２６】
本明細書で説明したファスナー即ち侵入ファスナーは、釘とすることができ、又はその代わりにねじとしても良い。
【００２７】
本明細書において表面に関して使用した用語「面する」とは、平行表面に限らないことが理解されなければならない。このような表面に対する法線は、他の表面又は他の表面の平面に対して突き出し、他の表面に対して平行でない方向にでも突き出す可能性があることが理解されなければならない。
【図面の簡単な説明】
【００２８】
【図１（ａ）】単一の下見板パネルの斜視図で、パネル取付け内部の角度から見た図である。
【図１（ｂ）】単一の下見板パネルの斜視図で、固定ブロックとの係合関係を説明する図である。
【図２】組立てられた複数の下見板の斜視図で、内部の組立形状を示す切断部分を示した図である。
【図３（ａ）】本発明により固定された固定ブロックを拡大して示す図で、図３（ｂ）と同一箇所の図である。
【図３（ｂ）】本発明によりパネルを枠組みに取付けた組立体の図で、組立箇所の切断断面を示し、家屋の構造物に取付けられ、組立てられた状態の、パネルの組立体を切断して示す図である。
【図４】組立てられた複数の下見板の断面図で、内部の組立形状を示す断面部分を示す図である。
【図１】
2008522063.tif 000003
【図２】
2008522063.tif 000004
【図３】
2008522063.tif 000005
【図４】
2008522063.tif 000006
【国際調査報告】
2008522063.tif 000007
2008522063.tif 000008
2008522063.tif 000009